(57)【要約】【課題】  複数枚の表示パネルを収納でき、表示内容を簡易に変更できる看板の提供。【解決手段】  左右に離隔して設けられる縦枠２，３と、縦枠２，３間を掛け渡すように上下に離隔して設けられる横枠４，５とからなる枠体１を備え、下側の横枠５には、上方に開口してコ字形状のレール６が設けられており、このレール６と連続して各縦枠２，３には、それぞれコ字形状のレール７，８が左右方向内側に開口して設けられている。各縦枠２，３のレール７，８の背面側の上端部は、切欠かれて切欠き部７ｂ，８ｂが形成されており、この切欠き部７ｂ，８ｂを介して複数枚の表示板３０がレール６，７，８内に挿入される。切欠き部７ｂ，８ｂの背面側には、押え板３５が着脱可能に設けられる。【選択図】      図３
2006106493.tif 000002
【特許請求の範囲】
【請求項１】
左右に離隔して設けられる縦枠と、縦枠間を掛け渡すように上下に離隔して設けられる横枠とからなる四角形の枠体を備え、
下側の横枠には、上方に開口してコ字形状のレールが設けられており、
このレールと連続して各縦枠には、それぞれコ字形状のレールが左右方向内側に開口して設けられており、
前記枠体を分解することなく複数枚の表示板を着脱可能に前記各レールに挿入して保持可能に、各縦枠のレールの背面側の上端部に切欠き部が形成されており、
この切欠き部の背面側に押え板が着脱可能に設けられる
ことを特徴とする看板。
【請求項２】
前記縦枠が前記下側の横枠よりも下方へ延出し、この延出部間にリーフレットケース及び／又は店名等の表示パネルが着脱可能に取り付けられるパンチングメタルからなる取付板が設けられた
ことを特徴とする請求項１に記載の看板。
【請求項３】
前記上側の横枠には、表示板を照らすライトがネジにより固定され、
このライトが取り付けられた状態で、前記押え板の着脱を可能に構成し、前記表示板の重ね順序の変更が可能とされた
ことを特徴とする請求項１又は請求項２に記載の看板。
【発明の詳細な説明】
【技術分野】
【０００１】
本発明は、店頭や店内の床に据え置かれる看板に関するものである。
【背景技術】
【０００２】
ファーストフード店やコーヒーチェーン店などでは、その店名やメニュー等を表示するために看板が使用されている。床に据え置くタイプの看板として、従来、例えば、店名などを記載した薄いプラスチック板をボックス状に配置し、そのボックスの内部から電灯で照らすものや、単に店名などを記載した金属板を立てかけるものなどがある。また、黒板を看板として使用する場合もある。
【発明の開示】
【発明が解決しようとする課題】
【０００３】
しかしながら、プラスチック板や金属板に直接記載する場合、内容を変更するには看板全体を作り直す必要がある。ここで、ファミリーレストランなどでは、朝食メニュー、ランチメニューまたはディナーメニューと一日の内で、表示内容を変更したい場合がある。ところが、従来の構成では、多数の看板を別々に用意する必要があり、必要なもののみを店頭へ出し、不要なものは収納する必要があり、看板の製作、変更、出し入れ、収納場所の確保などに問題があった。また、黒板の場合には、内容を変更するためにその都度書き直す必要があり、仕上がりに問題がある上に、面倒であった。
【０００４】
本発明は、上記事情に鑑みてなされたものであり、その主たる目的は、複数枚の表示パネルを収納でき、表示内容を簡易に変更できる看板を提供することにある。
【課題を解決するための手段】
【０００５】
上記目的を達成するために、本発明の看板は、左右に離隔して設けられる縦枠と、縦枠間を掛け渡すように上下に離隔して設けられる横枠とからなる四角形の枠体を備え、下側の横枠には、上方に開口してコ字形状のレールが設けられており、このレールと連続して各縦枠には、それぞれコ字形状のレールが左右方向内側に開口して設けられており、前記枠体を分解することなく複数枚の表示板を着脱可能に前記各レールに挿入して保持可能に、各縦枠のレールの背面側の上端部に切欠き部が形成されており、この切欠き部の背面側に押え板が着脱可能に設けられることを特徴とする。
【０００６】
また、好ましくは上記構成に加えて、前記縦枠が前記下側の横枠よりも下方へ延出し、この延出部間にリーフレットケース及び／又は店名等の表示パネルが着脱可能に取り付けられるパンチングメタルからなる取付板が設けられたことを特徴とする看板である。
【０００７】
さらに、好ましくは上記各構成に加えて、前記上側の横枠には、表示板を照らすライトがネジにより固定され、このライトが取り付けられた状態で、前記押え板の着脱を可能に構成し、前記表示板の重ね順序の変更が可能とされたことを特徴とする看板である。
【発明の効果】
【０００８】
本発明の看板によれば、複数枚の表示板が保持されると共に、重ね順序の変更が容易にできるので、他に表示板の保管場所を必要とせず、必要に応じて表示板を入れ替えることが可能とされる。
【発明を実施するための最良の形態】
【０００９】
以下、本発明の看板について、実施例に基づき更に詳細に説明する。
【００１０】
図１は、本発明の看板を示す斜視図である。また、図２は、図１の看板の側面から見た縦断面図である。図３は、背面側から見た分解斜視図である。
本発明の看板は、複数枚（図示例では４枚）の表示板３０，３０…が挿入されて保持される枠体１と、この枠体１に設けられ、店名などの表示パネル４０やリーフレットケース４５などが着脱可能に取り付けられる取付板１２と、枠体１を立てた状態で保持する脚部１４とを主要部として備える。
【００１１】
枠体１は、金属製の棒材により構成されている。すなわち、枠体１は、左右に離隔して上下方向に沿って設けられる縦枠２，３と、この各縦枠２，３を架け渡すように上下に離隔して左右方向に沿って設けられる横枠４，５とからなる。上側の横枠（上枠）４は、各縦枠２，３の上端部を架け渡すように設けられている。下側の横枠（下枠）５は、各縦枠２，３の上下方向中央部より若干下側を架け渡すように設けられている。本実施例では、各縦枠２，３および上枠４は断面円形の棒材とされ、下枠５は断面四角形の棒材とされる。なお、本実施例の枠体１は、上方へ行くに従って後方（背面側）へ傾斜するよう後述する脚部１４に支持される。
【００１２】
図３に示すように、下枠５および各縦枠２，３には、複数枚の表示板３０，３０…が重ねて挿入されるレール６，７，８が設けられている。各レール６，７，８は、枠体などに直接に形成してもよいが本実施例では、金属製のコ字形材を設けてなる。具体的には、下枠５の上部には、上方に開口したコ字形状のレール６が溶接により固定されている。この際、レール６の溝は、下枠５の軸方向に沿って延出している。
【００１３】
そして、各縦枠２，３には、下枠５よりも上方への延出部に、下枠５のレール６に連続して、枠体１の内側に開口したコ字形状のレール７，８が溶接により固定されている。すなわち、正面視において、左側の縦枠２には、右側に開口するコ字形状のレール７が設けられ、右側の縦枠３には左側に開口するコ字形状のレール８が設けられる。この際、レール７，８の溝は、各縦枠２，３の軸方向に沿って延出している。
【００１４】
また、本実施例では、各縦枠２，３に設けられたコ字形のレール７，８を構成する背面側の一片７ａ，８ａは、その上端部が切り欠かれている（７ｂ，８ｂ）。すなわち、各縦枠２，３のレール７，８の内、背面側の一片７ａ，８ａは、上枠４まで達していない。左右のレール７，８間の切欠き部７ｂ，８ｂの離隔距離は、表示板３０の幅寸法より若干大きい。
【００１５】
上枠４の下端部には、金属製の角材９が溶接により固定されており、この角材９の前端部から下方へ板状の上片１０が延出している。この上片１０は、各縦枠２，３に設けられたコ字形のレール７，８を構成する手前側の一片７ｃ，８ｃと連続して設けられている。
これにより、下枠５および各縦枠２，３のレール６，７，８の手前側の一片６ａ，７ｃ，８ｃと、上枠４の上片１０とにより四角形の枠が形成される。
【００１６】
下枠５の下部には、表示パネル４０やリーフレットケース４５が着脱可能に取り付けられる取付板１２が設けられる。本実施例の取付板１２は、四角形状の金属板に円形の貫通穴１２ａが多数形成されたパンチングメタルとされる。取付板１２は、その上端部および左右両端部が、下枠５および各縦枠２，３に接するように固定され、各縦枠２，３の下端部は取付板１２より更に下方へ延出している。
【００１７】
本実施例の枠体１は、立てた状態で脚部１４に保持される。
脚部１４は、各縦枠２，３の下端部から後方へ延出する円筒形状の一対の第一支持棒１５，１５と、各縦枠２，３の上下方向中央部より若干上側と、前記第一支持棒１５の先端部とを架け渡すように設けられる一対の第二支持棒１６，１６とを備える。
【００１８】
各縦枠２，３の下端部には、棒状の差込部１８が後方（背面側）へ突出して形成されている。本実施例の差込部１８は、縦枠２，３と鋭角をなして後方へ突出形成されている。例えば、縦枠２，３と差込部１８とのなす角αは、６０°とされる。そして、この差込部１８に、第一支持棒１５の基端部が差し込まれ、第一支持棒１５の下方からネジ２０がねじ込まれて各縦枠２，３に第一支持棒１５，１５が固定される。なお、左右に離隔して設けられる第一支持棒１５，１５の先端部には、四角形の板材２２が架け渡すように設けられる。
【００１９】
そして、この第一支持棒１５の先端部と、縦枠２，３の上下方向中央部より若干上側と架け渡すように第二支持棒１６が設けられる。縦枠２，３の上下方向中央部より若干上側には、板状の取付部２４，２４が後方へ突出して形成されている（図２）。
第二支持棒１６は、円弧状に湾曲した棒材であり、その両端部は、押し潰されて板状に形成されている。第二支持棒１６は、その一端部が縦枠２，３の取付部２４に重ね合わされてネジ２６で固定されると共に、他端部が第一支持棒１５の先端部に当接されてネジ２８で固定される。なお、第二支持棒１６は、後方へ行くに従って下方へ延出するよう湾曲している。
【００２０】
これにより、枠体１は、立てた状態で、具体的には上方へ行くに従って後方（背面側）へ傾斜した状態で脚部１４に保持される。なお、本実施例では、各縦枠２，３の下端および各第一支持棒１５，１５の先端部にそれぞれキャスター２９が設けられている。
【００２１】
枠体１に設けられたレール６，７，８には、複数枚の表示板３０が挿入され、保持される。
図４は、表示板を示す斜視図である。図５は、縦枠のレール間に表示板が挿入された状態を示す横断面図である。これらの図に示すように、表示板３０は、四角形の薄い透明な表シート３１と不透明な裏シート３２が重ね合わされて、３辺が接着された袋状とされる。表シート３１および裏シート３２は、例えば、塩化ビニルなどの樹脂性のシートで形成されており、表示板３０は可撓性を有する。また、表示板３０は、各縦枠２，３のレール７，８間に対応した幅寸法とされる一方、上片１０と下枠５のレール６間に対応した縦寸法とされる。この袋状の表示板３０には、例えば、メニューなどが記載されたポスター３３が挿入される。
【００２２】
本実施例では、このような表示板３０が４枚重ね合わされた状態で、図３に示すように、レール６，７，８内に挿入されて、保持される。表示板３０をレール６，７，８に挿入する際には、各縦枠２，３のレール７，８の前記切欠き部７ｂ，８ｂから挿入される。なお、表示板３０は、その開口部を上方へ向けた状態でレール６，７，８に挿入される。
【００２３】
表示板３０がレール６，７，８に挿入された後、枠体１の背面側上端部に押え板３５が取り付けられる。押え板３５は、縦枠２，３間に対応した幅寸法の四角形状とされ、その左右方向中央部には、背面側に突出してＵ字形の取っ手３６が設けられている。
また、押え板３５には、貫通穴３７，３７が左右に離隔して２ヶ所形成されている。この貫通穴３７は、円形の穴が上下に連続して形成されたダルマ形の穴とされる。具体的には、上方に小径の穴３７ａが形成されており、この小径穴３７ａの下方に連続して大径な穴３７ｂが形成されている。なお、この貫通穴３７の内、大径穴３７ｂは、押え板３５を取り付けるための取付ネジ３９の頭部３９ａより大径とされ、小径穴３７ａは取付ネジ３９の頭部３９ａより小径とされる（図１０）。
【００２４】
押え板３５は、上枠４に固定された角材９の背面に取付ネジ３９により着脱可能に取り付けられる。
押え板３５を取り付ける際、取付ネジ３９を角材９から完全に外して、押え板３５を角材９に当接した状態で取付ネジ３９により固定することも可能であるが、予め角材９に取付ネジ３９をねじ込んでおいて押え板３５を取り付けることも可能である。この場合、取付ネジ３９の軸部３９ｂを押え板３５の厚み分露出させた状態で、予め角材９の裏面に取付ネジ３９をねじ込んでおく。そして、押え板３５の大径穴３７ｂに取付ネジ３９の頭部３９ａを通して、押え板３５を下方へスライドさせることで、取付ネジ３９の軸部３９ｂが押え板３５の小径穴３７ａに配置され、押え板３５は位置決めされる。
【００２５】
押え板３５を角材９に取り付けた状態では、押え板３５の下端部は角材９より下方へ延出しており、表示板３０の上端部は、上片１０と押え板３５とに挟み込まれる。これにより、雨水などが表示板３０の開口部から内部に侵入するのを防止される。
このようにして、表示板３０は、その下端部が下枠５のレール６に支持され、左右両端部が各縦枠２，３のレール７，８に差し込まれ、上端部が上片１０と押え板３５とで挟み込まれて、枠体１に保持されている。
【００２６】
表示板３０を枠体１から抜き去る際には、上記挿入時と逆の動作をすればよい。すなわち、押え板３５を上方へスライドさせて、押え板３５の大径穴３７ｂから取付ネジ３９を通過させて押え板３５を取り外す。そして、表示板３０を上方へ引き上げてレール６，７，８から抜き去ればよい。
【００２７】
取付板１２には、表示パネル４０やリーフレットケース４５が着脱可能に取り付けられる。
図６は、表示パネルの取り付け状態を示す分解斜視図である。図７は、表示パネルの取り付け状態を示す断面図である。
【００２８】
本実施例の表示パネル４０は、透明な四角形のアクリル板とされ、その四隅が取付板１２にネジ４３で固定される。この際、表示パネル４０と取付板１２との間には、短円筒形状のスペーサ４２が配置されて表示パネル４０は立体的に取付板１２に設けられる。
具体的には、取付板１２の背面側から穴１２ａを介してネジ４３がねじ込まれ、このネジ４３に取付板１２の手前側から筒状のスペーサ４２がねじ込まれる。ネジ４３の軸部は、スペーサ４２より手前側に延出しており、この延出部に表示パネル４０の四隅に形成された穴４０ａが通される。そして、ネジ４３の軸部先端にキャップ４４がねじ込まれて、取付板１２に表示パネル４０が固定される。このように設けられる表示パネル４０には、例えば、店名などが記載される。
【００２９】
図８は、本実施例のリーフレットケースを示す斜視図である。
本実施例の取付板１２に設けられるリーフレットケース４５は、細長い線材が屈曲形成されてなる。具体的には、手前側に開放する上側コ字形状部４５ａを有し、その開放両端部同士は互いに近接する方向（左右方向内側）に若干屈曲された後、下方へ等距離だけ延出し、その下端部に下側コ字形状部４５ｂが形成された形状である。この下側コ字形状部４５ｂは、前記延出部の下端部がそれぞれ後方へ屈曲された後、互いに近接する方向へ屈曲されて、その先端部同士が互いに接続された形状である。
そして、下側コ字形状部４５ｂと上側コ字形状部４５ａの各中央辺を架け渡すように、２本の線状の支柱４６，４６が左右に離隔して上下方向に延出して設けられる。
支柱４６は、上側コ字形状部４５ａから上方へ延出しており、その上端部は、後方へ取付板の厚み分直角に屈曲された後（４６ａ）、さらに上方へ直角に屈曲形成されている。
【００３０】
図９は、リーフレットケースの取付状態を示す断面図である。
リーフレットケース４５を取付板１２に取り付ける際には、図９に示すように、支柱４６が略水平状態となるようにリーフレットケース４５を把持して、支柱４６の先端４６ｂを取付板１２の穴１２ａに差し込み、リーフレットケース４５を下方へ回転させるようにすればよい。
なお、取付板１２には、多数の穴１２ａが形成されているので、表示パネル４０およびリーフレットケース４５の取付位置や個数は任意に変更可能である。
【００３１】
ところで、本実施例の枠体１の上枠４と縦枠３にはそれぞれ、図３に示すように、表示板３０を照らすライト５０およびリーフレットケース５５が着脱可能に取り付けられる。上枠４の背面側には、左右両端部に左右に離隔して２ヵ所ずつネジ穴６０，６０が形成されている。ライト５０は、ライト本体５１と、ライト本体５１に設けられた四角形の板状の固定板５２とを備える。ライト５０は、その固定板５２を介して、上枠４に形成されたネジ穴６０，６０にネジ６１，６１がねじ込まれて固定される。
【００３２】
上枠４にライト５０が取り付けられた状態において、角材９に取り付けられた押え板３５は、ライト５０の固定板５２に当ることなく上方にスライド可能とされる。すなわち、本実施例では、ライト５０を上枠４に固定したまま、押え板３５の取り外しが可能とされる。よって、表示板３０の入れ替えを行う際に、その都度ライト５０を取り外す必要が無い。なお、図３では、背面側から見て左側のネジ穴６０を利用してライト５０を取り付けているが、右側のネジ穴６０を利用することも可能である（図２）。また、図示例では、使用していないネジ穴６０には、ネジ６１がねじ込まれて塞がれている。
【００３３】
また、縦枠３の中途にも、ネジ穴６５が形成されている。図３では、背面側から見て左側の縦枠３に、上下に離隔して２ヵ所にネジ穴６５，６５が形成されている。
このネジ穴６５，６５には、リーフレットケース５５がネジ６６により着脱可能に取り付けられる。リーフレットケース５５は、取付板１２に設けられる上記リーフレットケース４５と同様の形状であり、支柱５６，５６の先端部に四角い板状の固定板５７が固定されている。そして、この固定板５７を介して縦枠３のネジ穴６５にネジ６６がねじ込まれて、リーフレットケース５５が縦枠３に固定される。
【００３４】
本実施例の看板は、上述したように、各縦枠２，３のレール７，８の上端部に切欠き部７ｂ，８ｂが形成されている。よって、表示板３０を各縦枠２，３のレール７，８に沿うようにして挿入することができ、挿入しやすい。
【００３５】
また、この切欠き部７ｂ，８ｂからレール６，７，８に保持された表示板３０が後方へ緩やかに撓むことが可能である。
よって、図１０に示すように、表示板３０をレール６，７，８に挿入した状態のまま、表示板３０の内容を確認することが可能である。すなわち、レール６，７，８から表示板３０を引き出すことなく、言い換えれば表示板３０の下端部をレール６内に差し込んだ状態で、表示板３０の内容を確認することができる。各縦枠２，３のレール７，８の背面側の一片７ａ，８ａが上枠４まで延出している場合、表示板３０を一旦引き抜かなければ表示板３０の内容を確認することが不可能であるが、本実施例では、各縦枠２，３のレール７，８の背面側の一片７ａ，８ａの上端部を切欠いていることで、表示板３０を後方へ撓ませて内容を確認することが可能とされる。
【００３６】
本実施例では、レール６，７，８に４枚の表示板３０が挿入され保持されており、各表示板３０には、例えば、朝、昼、夕方、夜のメニューが記載される。そして、上述したように、表示板３０を引き出す必要がなく、後方へ撓ませた状態で内容を確認し、必要な表示板３０だけを引き出し、先頭（前面側）へ挿入すればよい。このように、全ての表示板３０を一旦引き出すことなく、必要な表示板３０のみを引き出して、重ね合わせ順序を紙芝居式に変更することが可能とされる。また、本実施例では、レール６，７，８内に４枚の表示板３０が保持されるので、他に保管場所を用意する必要がない。
【００３７】
ところで、本実施例の看板は、複数台連結して使用することが可能である。
図１１は、本実施例の看板を２台連結した状態を裏面側から見た斜視図であり、図１２は、各看板の縦枠同士の連結状態を示す斜視図であり、図１３は、各看板の第一支持棒の基端部間の連結状態を示す斜視図であり、図１４は、各看板の第一支持棒の先端部間の連結状態を示す斜視図である。
【００３８】
本実施例では、隣接する看板同士が、３箇所連結される。
この際、縦枠２，３の取付部２４，２４と第二支持棒１６の一端部とのネジ止め（２６）部分、縦枠２，３の差込部１８，１８と第一支持棒１５の基端部とのネジ止め（２０）部分、および第一支持棒１５の先端部と第二支持棒１６の他端部とのネジ止め（２８）部分が、隣接する看板同士の連結に利用される。
以下、具体的に説明する。
【００３９】
図１２に示すように、一方の看板の取付部２４と第二支持棒１６の一端部との重ね合わせ部分、および他方の看板の取付部２４と第二支持棒１６の一端部との重ね合わせ部分との間に円筒状のスペーサ７２が配置される。スペーサ７２には、ネジ棒７３が通されており、ネジ棒７３はスペーサ７２の両端から延出している。ネジ棒７３の一端部は、一方の看板の取付部２４と第二支持棒１６とに通される一方、他端部は、他方の看板の取付部２４と第二支持棒１６とに通される。そして、蝶ナット７４がネジ棒７３の両端部からねじ込まれて隣接する看板同士が連結される。
【００４０】
また、隣接する看板同士は、図１３に示すように、縦枠の下端部間においても連結される。
各縦枠２，３の下端部には、差込部１８が形成されており、第一支持棒１５の基端部に差し込まれているが、この差込部分に細長い小判形状の板片７５が、各看板の第一支持棒１５，１５の基端部を架け渡すように下方から当接され、下方から蝶ネジ２０がねじ込まれて各看板が連結される。
【００４１】
さらに、隣接する看板同士は、図１４に示すように、第一支持棒１５の先端部間において連結される。
第一支持棒１５の先端部には、第二支持棒１６の他端部が当接されているが、この当接部分に前記板片７５と同様の板片７７が、各看板の第一支持棒１５の先端部間に架け渡すよう配置され、ネジ２８がねじ込まれて各看板が連結されている。
このように、三箇所を固定することで、隣接する看板同士が確実に連結される。
【００４２】
なお、本実施例の看板は、図１５に示すように、複数台連結して使用することも可能である。
図１５では、本実施例の看板と看板との間に、上述した取付板のみで構成された補助看板８０が設けられており、このように複数台連結して使用することで、多種多様な内容を表示することが可能となる。なお、図示例では、補助看板８０には、リーフレットケース４５が複数個設けられている。看板と補助看板との連結は、上記看板と看板の連結方法と同様にすることができる。
【００４３】
このように、本実施例の看板は、複数種類の表示板を保持することができるので、他に保管場所を必要とせず、その順序の入れ替えにおいても、内容を確認するために全ての表示板をいちいち引き出す必要がなく手間がかからない。
【００４４】
なお、本発明の看板は、上記実施例の構成に限らず、適宜変更可能である。
例えば、表示板の裏シートの裏面を枠体の色と同じにすることで、背面側から見た状態において、あたかも枠体に裏面板があるように視認され、意匠性に富むものとすることができる。また、図１に示すように、下枠５およびそのレール６の前面に四角形状の板片７０を溶接などで固着して、店舗名などを記載するようにしても構わない。
【図面の簡単な説明】
【００４５】
【図１】本発明の看板の一実施例を示す斜視図である。
【図２】図１の看板の側面から見た縦断面図である。
【図３】図１の看板の背面側から見た分解斜視図である。
【図４】図１の看板に挿入される表示板を示す斜視図である。
【図５】図１の看板の縦枠のレール間に表示板が挿入された状態を示す横断面図である。
【図６】図１の看板の表示パネルの取り付け状態を示す分解斜視図である。
【図７】図１の看板の表示パネルの取り付け状態を示す断面図である。
【図８】図１の看板のリーフレットケースを示す斜視図である。
【図９】図８のリーフレットケースの取付時の状態を示す断面図である。
【図１０】表示板をレールの切欠き部を介して後方へ撓ませて、表示板の内容を確認している状態を示す概略斜視図である。
【図１１】図１の看板を２台連結した状態を裏面側から見た斜視図である。
【図１２】図１１における各看板の縦枠同士の連結状態を示す斜視図である。
【図１３】図１１における各看板の第一支持棒の基端部間の連結状態を示す斜視図である。
【図１４】図１１における各看板の第一支持棒の先端部間の連結状態を示す斜視図である。
【図１５】本発明の看板および補助看板を連結した状態を示す斜視図である。
【符号の説明】
【００４６】
１  枠体
２  縦枠
３  縦枠
４  横枠
５  横枠
６  レール
７  レール
７ｂ  切欠き部
８  レール
８ｂ  切欠き部
１０  上片
１２  取付板
１４  脚部
３０  表示板
３５  押え板
４０  表示パネル
４５  リーフレットケース
５０  ライト
【図１】
2006106493.tif 000003
【図２】
2006106493.tif 000004
【図３】
2006106493.tif 000005
【図４】
2006106493.tif 000006
【図５】
2006106493.tif 000007
【図６】
2006106493.tif 000008
【図７】
2006106493.tif 000009
【図８】
2006106493.tif 000010
【図９】
2006106493.tif 000011
【図１０】
2006106493.tif 000012
【図１１】
2006106493.tif 000013
【図１２】
2006106493.tif 000014
【図１３】
2006106493.tif 000015
【図１４】
2006106493.tif 000016
【図１５】
2006106493.tif 000017